(57)【要約】      （修正有）【課題】利用者に提供される印刷物・伝票・レシートデータを電子化して、利用者側に有益に利用明細データを活用できる支出管理データサービス提供システムを提供する。【解決手段】売り手の情報端末（ＰＯＳレジ・コンピュータ）と買い手側の情報端末（携帯電話・コンピュータ）との通信・インターフェースによって、利用明細データを利用者側の情報端末（携帯電話・コンピュータ）に送信し有効活用する。【選択図】図３
2009217785.tif 000002
【特許請求の範囲】
【請求項１】
売り手側の利用明細・領収書等の支出に関するデータを収集しデータベースに取込み、支出データアーカイブを自動仕訳・分析・集計する支出管理データサービス提供システム
【請求項２】
情報提供者は電子化された、契約書・利用明細・領収書等の印刷物・レシート個々の情報にコマーシャルメッセージを付与することにより、新たなる広告媒体として活用する方法。
【発明の詳細な説明】
【技術分野】
【０００１】本発明は、利用明細・領収書等の支出に関するデータを収集しデータベースに取込み、支出データアーカイブを自動仕訳・分析・集計する支出管理データサービス方法のシステムに関する。
【背景技術】
【０００２】商品（情報）提供者は、利用者側の要請によっては、提供商品（情報）のデータを電子化して、利用者側に提供（データ交換）しているケースは存在した。ただし、その方法は一般の利用者（消費者）には難しく、専門的知識が必要とされ、データ交換を行うためにの設備投資・技術が必要となっていた。
また、利用データの仕訳は利用者の意図とする目的で仕訳されデーターベース化されていた。
【発明が解決しようとする課題】
【０００３】このように、商品（情報）提供者側では有益に活用されている利用（販売）データは利用者側、特に一般消費者は有効に活用できなかった。
一部の利用者側は必要に応じて契約書・利用明細・領収書等の印刷物・レシートからコンピュータに入力して自らの努力に応じて活用していたが、その労力（コスト）負担は大きい。
また、データは利用目的を持ったデータをデータベース化していて他目的で利用するためには、その都度データの加工が必要になっていた。そこで商品（情報）提供者側は情報端末での契約書・納品書・請求書・レシート・領収書を発行する際に利用者側で電子化が容易に行える方法で作成して、利用者側では容易に電子データとしてデータベースに取込みができ利用できる方法と手順を提供することである。
【課題を解決するための手段】
【０００４】以下、上記目的を達成するための手段およびその作用効果について記載する。
請求項１に記載の発明は、小売店の場合は、携帯電話やワイヤレスデバイスとＰＯＳレジとの通信を通じて、利用明細を送信する方法であって、精算時に、利用明細を携帯電話やワイヤレスデバイスに送信する。
また、利用明細（レシート）・領収書等には、利用明細を二次元バーコード・ＯＣＲ化などをして、利用者側の情報端末（携帯電話）等で容易に、電子データとして取込める方法で、利用明細（レシート・領収書）等へ印刷する。
販社・卸売り業者の場合は、納品書・請求書または、領収書等の利用明細を二次元バーコード・ＯＣＲ化してなどをして、利用者側の情報端末（携帯電話）等で容易に、電子データとして取込める方法で印刷する。
そのようにして、電子データ化された情報を容易にデータベースに取込むことによって、個人情報および支出情報をアーカイブする。［図１］
【０００５】利用者側では、利用明細データをインターネット回線網を通じて、家計簿・会計ソフト等と連動して支出情報アーカイブを有効活用する。
【０００６】二次元バーコード化または、ＯＣＲ取込み可能な伝票情報のインターフェースは、最も安価な方法としては、現在のカメラ付携帯電話に搭載されているカメラで二次元バーコードまたは、ＯＣＲ取込み可能な伝票をスキャンすることができる。
【０００７】ＰＯＳレジには、利用明細をワイヤレスデバイスへ送信する仕組みを搭載する。［図２］
【０００８】契約書・利用明細・領収書等の印刷物・レシートをデータベースにアーカイブする方法を説明する。
データベース側では、データとイメージデータの２種類に分類される。
【０００９】データは、ＰＯＳレジからの利用明細・伝票・領収書類と二次元バーコード化されたドキュメント類（契約書・報告書・処方箋等）に分類される。［図３］
【００１０】データでＰＯＳレジからの利用明細・伝票・領収書類は、利用日（発生日）・商品名称・金額・摘要等の管理項目がデータベース化されアーカイブされる。
アーカイブされたデータは、自動仕訳けされ支出管理、税務申告等のデータ処理・閲覧アプリケーションで利用される。
【００１１】データのドキュメント類（契約書・報告書・処方箋等）は、検索ＩＮＤＥＸ・ドキュメント種別等の検索キーワードが付与されデータベース化され閲覧ＡＳＰアプリケーションで利用さる。
【００１２】イメージデータは、数値・文字情報に変換できないオリジナル（原本）ドキュメントの保管が必要な場合にイメージデータとして保存する。
イメージデータは、ドキュメント情報・検索キーワードが付与されデータベース化され閲覧アプリケーションで利用さる。
【００１３】データベースにアーカイブされたデータについて補助入力（登録・更新・削除）が行うことができる。［図４］
利用者側では、利用明細データをインターネット回線網を通じて、補助入力（登録・更新・削除）を行うことができる。
支出原始データは、自動仕分けＡＩ機能によって、各アプリケーションでの登録パターンを学習し、仕訳が自動的に行なわれる。［図５］
【００１４】イメージデータとは、原本の保管義務を生じるもののことを言う。
イメージデータは、デジカメ・携帯電話のカメラ・スキャナー等で取込まれた画像データで、検索ＩＮＤＥＸ・ドキュメント種別等の検索キーワードが付与されデータベース化され閲覧アプリケーションで利用さる。［図６］
【００１５】ＷＥＢサーバー上にアーカーブされたデータベースは、利用者からのリクエストに応じて、利用形態にそったアプリケーションが実行される。［図７］
【００１６】支出管理機能の特徴は、一般的な支出管理手法は  収入  −  支出となる。支出管理バンクは  収入  −  支出がマイナスの場合、マイナスがどの資産より補填されているのかを計上でき、資産管理ができる。［図８］
資産は、支出管理バンクが契約している、ライフプランナー・投資顧問・会計士に運用相談ができる。
【００１７】ドキュメント・サービス機能［図９］は、携帯電話等の印刷装置をもたない、税務申告書のような特殊帳票作成が必要な利用者向けのサービス機能として実装する。
ドキュメント・サービスは、郵送・宅配便とセブンイレブンでのネットプリントサービス等で利用者に提供する。
【００１８】支出管理バンクは個人情報として集められたデータアーカイブを、利用者の意図した標準的なデータ形式（ＴＥＸＴ、ＣＳＶ、ＥＸＣＥＬ、ＸＭＬ等）でピックアップすることができる。［図１０］
【００１９】支出管理バンクは個人情報として集められたデータアーカイブを、利用者の意図したデータ形式でライブラリー化してデータの利用ができる。［図１１］
【００２０】請求項２に記載の発明は、商品提供者側は、契約書・利用明細・領収書等の印刷物・レシートを発行する際に、個々の印刷物の二次元バーコード化などをした電子データにコマーシャルメッセージを付与する。
付与されたコマーシャルメッセージは、新たなる広告媒体として消費者へ提供され活用することができる。
【発明の効果】
【００２１】本発明によれば、基礎データ入力の手間が大幅に改善される。また、携帯端末等によりどこでも・タイムリーにデータ登録ができるために記帳もれもなくなる。また、蓄積されたデータ・アーカイブも有益に活用できる。
【発明を実施するための最良の形態】
【００２２】本発明は、主婦、外務員、フリーランス、個人事業主と幅広く活用できる。主婦は家計簿から参加でき、生活を防衛し確定申告時には、医療費控除・住宅取得控除等の節税にも寄与できる。
【図面の簡単な説明】
【００２３】
【図１】データフロー
【図２】ワイヤレスデバイスへのデータ送信
【図３】データ
【図４】データの補助入力機能
【図５】自動仕分けＡＩ機能
【図６】イメージデータ
【図７】ＷＥＢサーバー
【図８】支出管理機能（資産管理、補填リスト）
【図９】ドキュメント・サービス機能
【図１０】データアーカイブ
【図１１】データライブラリー
【図１】
2009217785.tif 000003
【図２】
2009217785.tif 000004
【図３】
2009217785.tif 000005
【図４】
2009217785.tif 000006
【図５】
2009217785.tif 000007
【図６】
2009217785.tif 000008
【図７】
2009217785.tif 000009
【図８】
2009217785.tif 000010
【図９】
2009217785.tif 000011
【図１０】
2009217785.tif 000012
【図１１】
2009217785.tif 000013